(57)【要約】【課題】使用者の操作によることなく、ＦＭ文字多重放送の受信信号に含まれる文字データの現在時刻情報に基づいて、計時手段の時刻合わせを行なうことができる給湯器リモコンを提供する。【解決手段】給湯器９０を遠隔操作する浴室リモコン１に、ＦＭ文字多重放送の受信が可能なチューナーモジュール７２と、チューナーモジュール７２により受信されたＦＭ文字多重放送から文字データを抽出する文字データ抽出手段７５と、該文字データから得られる情報を前記表示手段に文字表示する文字情報表示手段７５と、所定のタイミングで、メモリ７４に記憶されたプリセット周波数により、現在時刻情報を有する文字データを含むＦＭ文字多重放送を受信して、該ＦＭ文字多重放送の受信信号から抽出した文字データの現在時刻情報に基づいて計時手段８０の時刻合わせを行なう時刻設定手段８１とを備える。【選択図】  図３
2006184164.tif 000002
【特許請求の範囲】
【請求項１】
給湯器を遠隔操作するリモコン装置であって、給湯器の作動状態を表示する表示手段と、現在時刻を計時する計時手段とを備えた給湯器リモコンにおいて、
ＦＭ文字多重放送の受信が可能なＦＭチューナーと、該ＦＭチューナーにより受信されたＦＭ文字多重放送から文字データを抽出する文字データ抽出手段と、該文字データから得られる情報を前記表示手段に文字表示する文字情報表示手段と、前記ＦＭチューナーの受信周波数範囲内の所定の周波数を記憶する周波数プリセット手段と、
所定のタイミングで、前記周波数プリセット手段に記憶された周波数により、現在時刻情報を有する文字データを含むＦＭ文字多重放送を受信し、該ＦＭ文字多重放送の受信信号から抽出した文字データの現在時刻情報に基づいて前記計時手段の時刻合わせを行なう時刻設定手段とを備えたことを特徴とする給湯器リモコン。
【請求項２】
前記時刻設定手段は、前記周波数プリセット手段に記憶された周波数により、現在時刻情報を有する文字データを含むＦＭ文字多重放送を受信することができないときには、前記ＦＭチューナーの受信周波数範囲を走査して該ＦＭ文字多重放送が受信できる周波数を検索し、検索された周波数によるＦＭ文字多重放送の受信信号から抽出した文字データの現在時刻情報に基づいて、前記計時手段の時刻合わせを行なうことを特徴とする請求項１記載の給湯器リモコン。
【請求項３】
給湯器を遠隔操作するリモコン装置であって、給湯器の作動状態を表示する表示手段と、現在時刻を計時する計時手段とを備えた給湯器リモコンにおいて、
ＦＭ文字多重放送の受信が可能なＦＭチューナーと、該ＦＭチューナーにより受信されたＦＭ文字多重放送から文字データを抽出する文字データ抽出手段と、該文字データから得られる情報を前記表示手段に文字表示する文字情報表示手段と、
所定のタイミングで、前記ＦＭチューナーの受信周波数範囲を走査して、現在時刻情報を有する文字データを含むＦＭ文字多重放送が受信できる周波数を検索し、検索された周波数により受信されるＦＭ文字多重放送の受信信号から抽出した文字データの現在時刻情報に基づいて、前記計時手段の時刻合わせを行なう時刻設定手段とを備えたことを特徴とする給湯器リモコン。
【請求項４】
前記所定のタイミングは、電源投入時であることを特徴とする請求項１から請求項３のうちいずれか１項記載の給湯器リモコン。
【請求項５】
前記所定のタイミングは、所定時間が経過する毎であることを特徴とする請求項１から請求項４のうちいずれか１項記載の給湯器リモコン。
【請求項６】
前記時刻設定手段は、前記所定のタイミングにおいて、前記ＦＭチューナーにより現在時刻情報を有する文字データを含むＦＭ文字多重放送が受信されているときは、該ＦＭ文字多重放送の受信信号から抽出した文字データの現在時刻情報に基づいて、前記計時手段の時刻合わせを行うことを特徴とする請求項１から請求項５のうちいずれか１項記載の給湯器リモコン。
【請求項７】
使用者の操作に応じて、前記ＦＭチューナーの受信周波数を選択する受信周波数選択手段と、
該受信周波数選択手段により選択された直近の受信周波数を記憶する選択周波数記憶手段と、
前記時刻設定手段により、前記選択周波数記憶手段に記憶された周波数以外の周波数により受信されるＦＭ文字多重放送の受信信号に含まれる文字データの現在時刻情報に基づいて、前記計時手段の時刻合わせが行なわれたときに、該時刻合わせの終了後、前記ＦＭチューナーの受信周波数を前記選択周波数記憶手段に記憶された周波数に復帰させる選択周波数復帰手段とを備えたことを特徴とする請求項１から請求項６のうちいずれか１項記載の給湯器リモコン。
【発明の詳細な説明】
【技術分野】
【０００１】
本発明は、現在時刻の計時機能を備えた給湯器リモコンに関する。
【背景技術】
【０００２】
近年、ＦＭ放送の音声電波の隙間に、ニュースや天気予報等の文字情報を有するデータを重畳させて配信するＦＭ文字多重放送が普及している。そして、ＦＭ文字多重放送により配信される文字情報には、現在時刻情報が含まれるものがあることから、ＦＭ文字多重放送を受信するデータ受信装置と、現在時刻を計時して表示を行なう時計装置とを備え、該データ受信装置により受信されるＦＭ文字多重放送の受信信号に含まれる現在時刻情報に基づいて、時計装置による計時時刻を修正するシステムが提案されている（例えば、特許文献１参照）。
【特許文献１】特開平９−２８９４６２号公報
【発明の開示】
【発明が解決しようとする課題】
【０００３】
ＦＭ文字多重放送の受信機能を給湯器を遠隔操作する給湯器リモコンに付加して、使用者にＦＭ音声放送と共に文字情報を提供することにより、使用者の快適性の向上を図ることが考えられる。ここで、給湯器リモコンには、給湯器の作動状況等を表示するための比較的大きな表示手段が備えられているため、給湯器リモコンにＦＭ文字多重放送のチューナーを備えて、該表示手段にＦＭ文字多重放送による文字情報を表示することにより、該表示手段を有効に利用して、使用者にＦＭ音声のみならず文字情報の提供も可能な給湯器リモコンを提供することができる。
【０００４】
そして、給湯器リモコンには、浴槽への自動湯張り運転の予約等を行なうために、現在時刻を計時する計時手段が備えられるため、ＦＭ文字多重放送の受信信号に含まれる文字データの現在時刻情報に基づいて計時手段の時刻合わせを行なうことが考えられるが、全てのＦＭ放送局がＦＭ文字多重放送を行なっているわけではない。また、地域によって、ＦＭ文字多重放送を行っている放送局の周波数が異なる場合もある。
【０００５】
そのため、給湯器リモコンの使用者が、手動操作でＦＭ文字多重放送を利用して計時手段の時刻合わせを行なう場合には、ＦＭ文字多重放送を送信している放送局を選局しなければならないという煩わしさがある。
【０００６】
そこで、本発明は、使用者の操作によることなく、ＦＭ文字多重放送の受信信号に含まれる文字データの現在時刻情報に基づいて、計時手段の時刻合わせを行なうことができる給湯器リモコンを提供することを目的とする。
【課題を解決するための手段】
【０００７】
本発明は上記目的を達成するためになされたものであり、給湯器を遠隔操作するリモコン装置であって、給湯器の作動状態を表示する表示手段と、現在時刻を計時する計時手段とを備えた給湯器リモコンの改良に関する。
【０００８】
そして、本発明の第１の態様は、ＦＭ文字多重放送の受信が可能なＦＭチューナーと、該ＦＭチューナーにより受信されたＦＭ文字多重放送から文字データを抽出する文字データ抽出手段と、該文字データから得られる情報を前記表示手段に文字表示する文字情報表示手段と、前記ＦＭチューナーの受信周波数範囲内の所定の周波数を記憶する周波数プリセット手段と、所定のタイミングで、前記周波数プリセット手段に記憶された周波数により、現在時刻情報を有する文字データを含むＦＭ文字多重放送を受信して、該ＦＭ文字多重放送の受信信号から抽出した文字データの現在時刻情報に基づいて前記計時手段の時刻合わせを行なう時刻設定手段とを備えたことを特徴とする。
【０００９】
かかる本発明によれば、前記時刻設定手段は、前記周波数プリセット手段に記憶された周波数によりＦＭ文字多重放送を受信し、該ＦＭ文字多重放送の受信信号から抽出した文字データの現在時刻情報に基づいて、前記計時手段の時刻合わせを行なう。そのため、使用者は、ＦＭ文字多重放送を受信して前記計時手段の時刻合わせを行なうために前記ＦＭチューナーの選局操作を行なう必要がなく、使い勝手が良い。
【００１０】
また、前記本発明の第１の態様において、前記時刻設定手段は、前記周波数プリセット手段に記憶された周波数により、現在時刻情報を有する文字データを含むＦＭ文字多重放送を受信することができないときには、前記ＦＭチューナーの受信周波数範囲を走査して該ＦＭ文字多重放送が受信できる周波数を検索し、検索された周波数によるＦＭ文字多重放送の受信信号から抽出した文字データの現在時刻情報に基づいて、前記計時手段の時刻合わせを行なうことを特徴とする。
【００１１】
かかる本発明によれば、前記時刻設定手段は、前記周波数プリセット手段に記憶された周波数では、現在時刻情報を有する文字データを含むＦＭ文字多重放送を受信することができないときに、前記ＦＭチューナーの受信周波数範囲を走査して該ＦＭ文字多重放送が受信できる周波数を検索する。そのため、前記ＦＭチューナーの受信周波数範囲内に、現在時刻情報を有する文字データを含むＦＭ文字多重放送の周波数があれば、前記計時手段の時刻合わせを行うことができる。
【００１２】
また、本発明の第２の態様は、ＦＭ文字多重放送の受信が可能なＦＭチューナーと、該ＦＭチューナーにより受信されたＦＭ文字多重放送から文字データを抽出する文字データ抽出手段と、該文字データから得られる情報を前記表示手段に文字表示する文字情報表示手段と、所定のタイミングで、前記ＦＭチューナーの受信周波数範囲を走査して、現在時刻情報を有する文字データを含むＦＭ文字多重放送が受信できる周波数を検索し、検索された周波数により受信されるＦＭ文字多重放送の受信信号から抽出した文字データの現在時刻情報に基づいて、前記計時手段の時刻合わせを行なう時刻設定手段とを備えたことを特徴とする。
【００１３】
かかる本発明によれば、前記時刻設定手段は、前記ＦＭチューナーの受信周波数範囲を走査して、現在時刻情報を有する文字データを含むＦＭ文字多重放送を受信できる周波数を検索し、検索された周波数により受信されるＦＭ文字多重放送の受信信号から抽出した文字データの現在時刻情報に基づいて、前記計時手段の時刻合わせを行なう。そのため、使用者は、ＦＭ文字多重放送を受信して前記計時手段の計時時刻を設定するために前記ＦＭチューナーの選局操作を行なう必要がなく、使い勝手が良い。
【００１４】
また、前記第１の態様及び第２の態様における前記所定のタイミングは、電源投入時であることを特徴とする。
【００１５】
かかる本発明によれば、給湯器リモコンに電源が投入されたときに、前記時刻設定手段により前記計時手段の時刻合わせが行なわれる。そのため、使用者は電源投入時に前記計時手段の計時時刻を設定する操作を行なう必要がなく、使い勝手が良い。
【００１６】
また、前記第１の態様及び第２の態様における前記所定のタイミングは、所定時間が経過する毎であることを特徴とする。
【００１７】
かかる本発明によれば、前記所定時間が経過する毎に前記時刻設定手段により前記計時手段の時刻合わせを行なわれるため、前記計時手段における計時誤差の累積が低減される。そして、これにより、前記計時手段による現在時刻の計時精度を向上させることができる。
【００１８】
また、前記時刻設定手段は、前記所定のタイミングにおいて、前記ＦＭチューナーにより現在時刻情報を有する文字データを含むＦＭ文字多重放送が受信されているときは、該ＦＭ文字多重放送の受信信号から抽出した文字データの現在時刻情報に基づいて、前記計時手段の時刻合わせを行うことを特徴とする。
【００１９】
かかる本発明によれば、前記時刻設定手段は、前記ＦＭチューナで受信中のＦＭ文字多重放送から抽出した文字データの現在時刻情報に基づいて、前記計時手段の計時時刻を設定する。そのため、現在時刻情報を有する文字データを含むＦＭ多重放送を受信することができる周波数を検索する必要がなく、前記計時手段の計時時刻を速やかに設定することができる。
【００２０】
また、使用者の操作に応じて、前記ＦＭチューナーの受信周波数を選択する受信周波数選択手段と、該受信周波数選択手段により選択された直近の受信周波数を記憶する選択周波数記憶手段と、前記時刻設定手段により、前記選択周波数記憶手段に記憶された周波数以外の周波数により受信されるＦＭ文字多重放送の受信信号に含まれる文字データの現在時刻情報に基づいて、前記計時手段の時刻合わせが行なわれたときに、該時刻合わせの終了後、前記ＦＭチューナーの受信周波数を前記選択周波数記憶手段に記憶された周波数に復帰させる選択周波数復帰手段とを備えたことを特徴とする。
【００２１】
かかる本発明によれば、前記時刻設定手段により、前記選択周波数記憶手段に記憶された周波数以外の周波数により受信されるＦＭ文字多重放送によって前記計時手段の時刻合わせが行なわれたときに、該時刻合わせの終了後、前記選択周波数復帰手段により、前記ＦＭチューナーの受信周波数が前記選択周波数記憶手段に記憶された周波数に復帰する。そのため、使用者がその後前記ＦＭチューナーによりＦＭ放送を受信するときには、前回選択した周波数に維持されていることになる。そして、これにより、使用者の意に反して前記ＦＭチューナーの受信周波数が前回のＦＭ放送の受信時から変更され、次回のＦＭ放送の受信時に使用者の違和感を与えることを防止することができる。
【発明を実施するための最良の形態】
【００２２】
本発明の実施の形態について、図１〜図５を参照して説明する。図１は本発明の給湯器リモコンである浴室リモコンの外観図、図２は図１に示した浴室リモコンの表示器におけるＦＭ放送の選局状態と文字情報の表示状態を示した説明図、図３は図１に示した浴室リモコンの回路構成図、図４及び図５は時刻合わせ処理のフローチャートである。
【００２３】
図１を参照して、浴室リモコン１（本発明の給湯器リモコンに相当する）は、給湯器を遠隔操作する機能の他に、ＦＭ文字多重放送を含むＦＭ放送を受信する機能と、他のリモコンとの間で通話を行なうインターホン機能とを有しており、給湯器の作動状況やＦＭ文字多重放送による文字情報を表示する表示器２（本発明の表示手段に相当する）と、第１の操作部３と、第２の操作部４と、第３の操作部５と、スピーカ６とを備えている。なお、図１の表示器２の表示状態は、給湯器の作動状態を示す「浴室リモコン画面」となっている。
【００２４】
第１の操作部３には、ＦＭ放送の受信を行う「ＦＭ放送聴視モード」への移行と解除を指示するためのラジオ文字スイッチ１０と、インターホン通話を行う「インターホンモード」への移行と解除を指示するための通話スイッチ１１とが備えられている。なお、ラジオ文字スイッチ１０には、「ＦＭ放送聴視モード」であるときに点灯するＬＥＤ１０ａが内蔵されており、通話スイッチ１１には、「インターホンモード」であるときに点灯するＬＥＤ１１ａが内蔵されている。
【００２５】
第２の操作部４には、スピーカ６の音量の増減や給湯温度の上げ下げ等を指示するためのＤＯＷＮスイッチ１２及びＵＰスイッチ１３と、「浴室リモコン画面」において機能選択モード（音量、省電力表示の設定等を行なう）への移行と解除を指示すると共に、後述する「ラジオ画面」においてラジオの選択モード（選局モード（オート／マニュアル）の設定、チャンネル設定等を行なう）への移行と解除を指示するための選択スイッチ１４と、浴槽への足し湯及びＦＭ放送の選局等を指示するための足し湯スイッチ１５と、浴槽への足し水及びＦＭ放送の選局等を指示するためのぬる湯スイッチ１６とが備えられている。
【００２６】
第３の操作部５には、浴槽に所定量の湯を供給する自動湯張り運転の開始と停止を指示するための自動スイッチ１７と、浴槽内の湯を加熱する追焚き運転の開始と停止を指示するための追焚きスイッチ１８と、給湯器を運転状態と待機状態に切替えるための運転スイッチ１９とが備えられている。なお、運転状態においては各スイッチの操作が可能であって表示器２に各種の情報が表示され、待機状態においては運転スイッチ１９以外の操作が不能となって表示器２は消灯する。
【００２７】
また、自動スイッチ１７には自動湯張り運転の実行中に点灯するＬＥＤ１７ａが内蔵され、追焚きスイッチ１８には追焚き運転の実行中に点灯するＬＥＤ１８ａが内蔵され、運転スイッチ１９には給湯器が運転状態にあるときに点灯するＬＥＤ１９ａが内蔵されている。
【００２８】
次に、図２（ａ）は、「ＦＭ放送聴視モード」で表示器２が「ラジオ画面」であるときに、使用者が選択スイッチ１４を操作して「ラジオ選局モード（オート選局モード）」としたときの表示器２の表示状態を示している。この場合は、給湯器の作動状態を示す優先表示２０、高温表示２１、及び燃焼表示２２と、時計表示２５の他に、ＦＭ放送局の選局可能表示３０，３１、受信中のチャンネル番号３２（プリセットされた周波数のチャンネル番号）、及び受信中の放送局名３３が表示される。さらに、ＦＭ文字多重放送により緊急放送（ニュース速報、災害情報等）を受信したときに緊急情報番組表示２３が表示される。
【００２９】
そして、使用者は、足し湯スイッチ１５とぬる湯スイッチ１６を操作して、プリセットされた周波数の中から受信するＦＭ放送局を選局することができる。なお、マニュアル選局モードが選択されたときには、チャンネル３２は消灯し、放送局名３３に変えて周波数が表示される。そして、使用者は、足し湯スイッチ１５とぬる湯スイッチ１６を操作して、ＦＭ放送の受信周波数を変更することができる。
【００３０】
なお、この場合、足し湯スイッチ１５及びぬる湯スイッチ１６と、足し湯スイッチ１５及びぬる湯スイッチ１６の操作に応じて、マイコン５０がＦＭ放送の受信周波数を設定する構成が、本発明の受信周波数選択手段に相当する。
【００３１】
また、図２（ｂ）は、「ＦＭ放送聴視モード」において、ＦＭ文字多重放送が受信されているときの表示器２の表示状態を示している。この場合は、ＦＭ文字多重放送の受信信号から抽出された文字データに含まれる文字情報４１（ニュースや天気予報等）が、順次表示器２に表示される。また、文字情報４１がＦＭ音声信号と連動したものであるときには、ＬＩＮＫ表示４０が表示される。
【００３２】
次に、図３を参照して、浴室リモコン１の回路構成について説明する。浴室リモコン１はマイコン５０により作動が制御され、操作部３，４，５（図１参照）の各スイッチの操作信号がマイコン５０に入力される。また、マイコン５０から出力される制御信号により、表示器２の表示内容が変更されると共にＬＥＤ１０ａ，１１ａ，１７ａ，１８ａ，１９ａの点灯／消灯が制御される。
【００３３】
また、浴室リモコン１には、給湯器９０との間で制御信号の送受信等を行なう通信回路６０、台所リモコン９１との間で音声信号の送受信を行なうインターホン回路６１、音声を取り込んでインターホン回路６１に入力するマイク６２、マイコン５０からの制御信号に応じて音声信号を合成する音声合成回路６４、及びチューナー基板７０が備えられている。
【００３４】
チューナー基板７０は、ＦＭ文字多重放送の受信が可能なチューナーモジュール７２（本発明のＦＭチューナーに相当する）と、予め選択された周波数（プリセット周波数）が記憶されたメモリ７４（本発明の周波数プリセット手段及び選択周波数記憶手段に相当する）と、マイコン７３とからなり、マイコン７３に備えられた文字データ抽出手段７５は、チューナーモジュール７２により受信されたＦＭ文字多重放送の受信信号から文字データを抽出して、マイコン５０に出力する。
【００３５】
チューナーモジュール７２により受信された音声信号は音声出力回路６３に入力される。そして、音声出力回路６３は、マイコン５０からの制御信号に応じて、インターホン回路６１から入力される音声信号と、音声合成回路６４から入力される音声信号と、チューナーモジュール７２から入力される音声とのうちのいずれかを選択して、スピーカ６から出力する。
【００３６】
また、マイコン５０には、現在時刻を計時する計時手段８０と、計時手段８０による計時時刻の時刻合わせを行なう時刻設定手段８１と、詳細は後述するが、計時手段８０による時刻合わせの処理においてチューナーモジュール７２の受信周波数が変更された場合に、メモリ７４に記憶された直近の選択周波数に復帰させる選択周波数復帰手段８２と、文字データ抽出手段７５により抽出された文字データに含まれる情報を表示器２に文字表示する文字情報表示手段８３とが備えられている。
【００３７】
時刻設定手段８１は、給湯器９０から浴室リモコン１への電源供給が開始されて、浴室リモコン１に電源が投入されたときに、図４に示したフローチャートにより、計時手段８０の「時刻合わせ処理」を行なう
浴室リモコン１に電源が投入されてマイコン５０が作動を開始すると、時刻設定手段８１は、図４のＳＴＥＰ１で、メモリ７４に記憶された周波数（プリセット周波数）があるか否かを判断し、プリセット周波数がある場合にはＳＴＥＰ２に進む。そして、時刻設定手段８は、ＳＴＥＰ２でプリセット周波数により受信されるＦＭ放送が、現在時刻情報を有する文字データを含むＦＭ文字多重放送であるか否かを確認する。なお、プリセット周波数が複数ある場合、時刻設定手段８は、現在時刻情報を有する文字データを含むＦＭ文字多重放送が受信できるまで、プリセット周波数を切替えてＦＭ放送を受信する。
【００３８】
ＳＴＥＰ３で現在時刻情報を有する文字データを含むＦＭ文字多重放送が受信できるプリセット周波数があったときには、ＳＴＥＰ４に進み、時刻設定手段８１は、該プリセット周波数によりＦＭ文字多重放送を受信する。そして、続くＳＴＥＰ５で、時刻設定手段８１は、文字データ抽出手段７５により抽出された文字データから現在時刻情報を取得し、該現在時刻情報に基づいて計時手段８０の時刻合わせを行なう。すなわち、該現在時刻情報による現在時刻を初期時刻として計時手段８０の計時を開始する。
【００３９】
これにより、計時手段８０により計時される現在時刻が、文字データから取得された現在時刻（実時刻）に合致する。そのため、使用者は、給湯器９０の電源を投入したときに、浴室リモコン１の計時手段８０の時刻合わせの操作をする必要がない。
【００４０】
次のＳＴＥＰ６は、選択周波数復帰手段８２による処理であり、選択周波数復帰手段８２は、メモリ７４に使用者が選択した直近の周波数が記憶されている場合には、チューナーモジュール７２による受信周波数を、該直近の周波数に戻す。そして、ＳＴＥＰ７に進んで、時刻設定手段８１は計時手段８０の時刻合わせ処理を終了する。
【００４１】
また、ＳＴＥＰ３で、現在時刻情報を有する文字データを含むＦＭ文字多重放送が受信できるプリセット周波数がなかったときには、ＳＴＥＰ１０に分岐する。そして、時刻設定手段８１は、チューナーモジュール７２の受信周波数範囲を走査して、現在時刻情報を有する文字データを含むＦＭ文字多重放送が受信できる周波数を検索してＳＴＥＰ４に進む。
【００４２】
ＳＴＥＰ４で、時刻設定手段８１は、検索された周波数によりＦＭ文字多重放送を受信し、次のＳＴＥＰ５で上述した計時手段８０の時刻合わせを行なって、計時手段８０による現在時刻の計時を開始させる。また、続くＳＴＥＰ６で、選択周波数復帰手段８２は、メモリ７４に使用者が選択した直近の周波数が記憶されている場合には、チューナーモジュール７２による受信周波数を、該直近の周波数に戻す。そして、ＳＴＥＰ７に進んで、時刻設定手段８１は計時手段８０の時刻合わせ処理を終了する。
【００４３】
次に、時刻設定手段８１は、計時手段８０による現在時刻の計時が開始された後、所定時間が経過する毎に、図５に示したフローチャートにより、計時手段８０の計時時刻を修正する処理を行う。
【００４４】
所定時間が経過した時に、計時手段８０は、図５のＳＴＥＰ２０で、給湯器９０が運転状態にあるか否かを判断する。そして、給湯器９０が運転状態であったときはＳＴＥＰ２１に進み、ＦＭ放送を受信中であるか否かを判断する。ＦＭ放送を受信中であったときはＳＴＥＰ２２に進み、時刻設定手段８１は、チューナーモジュール７２が受信しているＦＭ放送が、現在時刻情報を有する文字データを含むＦＭ文字多重放送であるか否かを判断する。
【００４５】
そして、チューナーモジュール７２が受信しているＦＭ放送が、現在時刻情報を有する文字データを含むＦＭ文字多重放送であったときはＳＴＥＰ２３に進み、時刻設定手段８１は、文字データ抽出手段７５により抽出された文字データの現在時刻情報に基づいて、計時手段８０の時刻合わせを行なう。これにより、所定時間が経過する毎に、計時手段８０の計時時刻が修正されるため、計時手段８０により計時される現在時刻の誤差が累積されて現在時刻の計時精度が悪化することを防止することができる。
【００４６】
一方、ＳＴＥＰ２０で給湯器９０が待機状態であってチューナーモジュール７２が作動していないとき、及び、ＳＴＥＰ２１で給湯器９０が運転状態であってチューナーモジュール７２がＦＭ放送を受信していないときには、ＳＴＥＰ３０に分岐する。そして、時刻設定手段８１は、図４に示した「時刻合わせ処理」を実行して時刻設定手段８１による計時手段８０の時刻合わせ処理を実行し、ＳＴＥＰ２４に進む。
【００４７】
また、ＳＴＥＰ２２で、受信しているＦＭ放送が現在時刻情報を有する文字データを含むＦＭ文字多重放送でなかったときに、受信周波数を変更してＦＭ文字多重放送を受信できる周波数に切替えると、ＦＭ放送を聴いている使用者に違和感を与えてしまう。そのため、この場合には、ＳＴＥＰ２４に分岐して計時手段８０の時刻合わせは行なわない。
【００４８】
なお、本実施の形態では、図４に示したように、ＳＴＥＰ３でプリセット周波数により現在時刻情報を有する文字データを含むＦＭ文字多重放送が受信できなかったときに、ＳＴＥＰ１０に分岐して、チューナーモジュール７２の受信周波数範囲を走査して現在時刻情報を有する文字データを含むＦＭ文字多重放送が受信できる周波数を検索する処理を行ったが、かかる処理を行わない場合であっても本発明の効果を得ることができる。
【００４９】
また、図４に示したＳＴＥＰ１〜ＳＴＥＰ３のプリセット周波数によるＦＭ文字多重放送の受信を行なわずに、ＳＴＥＰ１０によるチューナーモジュール７２の受信周波数範囲を走査して現在時刻情報を有する文字データを含むＦＭ文字多重放送が受信できる周波数を検索する処理のみを行って、ＦＭ文字多重放送を受信するようにしてもよい。
【００５０】
また、本実施の形態では、本発明の所定のタイミングとして、浴室リモコン１への電源投入時と、所定時間が経過する毎に、ＦＭ文字多重放送を受信して計時手段８０の時刻合せ処理を行ったが、他のタイミングにより該時刻合せ処理を行うようにしてもよい。
【００５１】
また、本実施の形態では、図４のＳＴＥＰ６で、計時手段８０の時刻合せ処理の終了後に、チューナーモジュール７２の受信周波数を、使用者が選択した直近の周波数に戻す処理を行ったが、かかる処理を行わない場合であっても本発明の効果を得ることができる。
【図面の簡単な説明】
【００５２】
【図１】本発明の給湯器リモコンである浴室リモコンの外観図。
【図２】図１に示した浴室リモコンの表示器におけるＦＭ放送の選局状態と文字情報の表示情報を示した説明図。
【図３】図１に示した浴室リモコンの回路構成図。
【図４】時刻合わせ処理のフローチャート。
【図５】時刻合わせ処理のフローチャート。
【符号の説明】
【００５３】
１…浴室リモコン、２…表示器、１５…（選局操作を行なうための）足し湯スイッチ、１６…（選局操作を行なうための）ぬる湯スイッチ、７０…チューナー基板、７２…チューナーモジュール、７４…メモリ、７５…文字データ抽出手段、８０…計時手段、８１…時刻設定手段、８２…選択周波数復帰手段、８３…文字情報表示手段
【図１】
2006184164.tif 000003
【図２】
2006184164.tif 000004
【図３】
2006184164.tif 000005
【図４】
2006184164.tif 000006
【図５】
2006184164.tif 000007